(57)【要約】【課題】  ガバナ室のデジタル式自記圧力計やガス警報ユニットの故障を自動的に検知して監視センターへ通報する。監視センターのパソコンの暴走やターミナルアダプタに内蔵されているＣＰＵの暴走に対応する。通信失敗時のリトライの重なりを防ぐ。【解決手段】デジタル式自記圧力計４を１２分毎に作動させて圧力データを通信ユニット５へ送る。ガス警報ユニット１１を２分間隔で作動させ４時間毎に通信ユニット５へダミー通信させる。通信ユニットはデジタル式自記圧力計４から２時間以上圧力データが来ないときは自記圧力計故障とみてセンターへ発呼する。ガス警報ユニット１１から２４時間以上通信がないと故障とみてセンターへ発呼する。【選択図】図１
2005214862.tif 000002
【特許請求の範囲】
【請求項１】
ガバナ室に、ガス圧データを集録するデジタル式自記圧力計と、ガス漏れを検知するガス警報ユニットと、デジタル式自記圧力計からの圧力データやガス警報ユニットからのアラーム情報を監視センターに通報する通信ユニットを備え、監視センターに、前記通信ユニットからのデータや情報を受信するパソコンを備えたガス供給ガバナ室の遠隔監視システムにおいて、
デジタル式自記圧力計から間欠的に通信ユニットへデータ転送通信を行い、
通信ユニットは所定の時間に亘り、デジタル式自記圧力計からの前記データ転送通信が来ないときに、デジタル式自記圧力計に故障が発生したとして、デジタル式自記圧力計故障発呼を監視センターへ行うことを特徴とするガス供給ガバナ室の遠隔監視システム。
【請求項２】
ガバナ室に、ガス圧データを集録するデジタル式自記圧力計と、ガス漏れを検知するガス警報ユニットと、デジタル式自記圧力計からの圧力データやガス警報ユニットからのアラーム情報を監視センターに通報する通信ユニットを備え、監視センターに、前記通信ユニットからのデータや情報を受信するパソコンを備えたガス供給ガバナ室の遠隔監視システムにおいて、
ガス警報ユニットに内蔵しているガス漏れセンサを間欠的に作動させて、そのときのガバナ室内のガス環境情報を通信ユニットへ通報し、
通信ユニットは、所定の時間に亘り、ガス警報ユニットからの前記情報が来ないときに、ガス警報ユニットに故障が発生したとして、ガス警報器故障発呼を監視センターへ行うことを特徴とするガス供給ガバナ室の遠隔監視システム。
【請求項３】
ガバナ室に、ガス圧データを集録するデジタル式自記圧力計と、ガス漏れを検知するガス警報ユニットと、デジタル式自記圧力計からの圧力データやガス警報ユニットからのアラーム情報を監視センターに通報する通信ユニットを備え、監視センターに、前記通信ユニットからのデータや情報を受信するパソコンを備えたガス供給ガバナ室の遠隔監視システムにおいて、
デジタル式自記圧力計から間欠的に通信ユニットへデータ転送通信を行い、
通信ユニットは所定の時間に亘り、デジタル式自記圧力計からの前記データ転送通信が来ないときに、デジタル式自記圧力計に故障が発生したとして、デジタル式自記圧力計故障発呼を監視センターへ行い、
更に、ガス警報ユニットに内蔵しているガス漏れセンサを間欠的に作動させて、そのときのガバナ室内のガス環境情報を通信ユニットへ通報し、
通信ユニットは、所定の時間に亘り、ガス警報ユニットからの前記情報が来ないときに、ガス警報ユニットに故障が発生したとして、ガス警報器故障発呼を監視センターへ行うことを特徴とするガス供給ガバナ室の遠隔監視システム。
【請求項４】
監視センターに暴走検知装置を設け、パソコンからの正常動作信号を暴走検知装置に入力するように構成し、パソコンからの前記正常動作信号が一定時間に亘り来ない時に、暴走検知装置からパソコンへシャットダウン信号を出して電源リセットすることを特徴とする請求項１，２又は３記載のガス供給ガバナ室の遠隔監視システム。
【請求項５】
パソコンからターミナルアダプタを一定時間毎にチェックして、ターミナルアダプタが正常のときは、ターミナルアダプタ用の正常動作信号を暴走検知装置に入力するように構成し、ターミナルアダプタ用の正常動作信号が来ない時に、暴走検知装置からターミナルアダプタの電源リセットをかけるようにしたことを特徴とする請求項４記載のガス供給ガバナ室の遠隔監視システム。
【請求項６】
デジタル式自記圧力計と、通信ユニットと、センター装置の通信失敗時の各リトライ間隔をそれぞれ異なる値に定めたことを特徴とする請求項１，３，４又は５記載のガス供給ガバナ室の遠隔監視システム。
【発明の詳細な説明】
【技術分野】
【０００１】
本発明はガス供給ガバナ室の遠隔監視システムの改良に関する。
【背景技術】
【０００２】
ガス供給事業では、ガス供給用の幹線である高・中圧導管の拠点にガス圧を減圧して一定に保持するガバナを設けていて、ガバナ室にはガバナの一次側と二次側の圧力を記録するデジタル式自記圧力計が配設されている（例えば特許文献１参照）。
【０００３】
また、このようなデジタル式自記圧力計とガス漏れ警報ユニット（ガス警報ユニットともいう）とＰＨＳ通信ユニットとをガバナ室に設置し、ガス警報ユニットがガス漏れを検知すると、ＰＨＳ通信ユニットから監視センターのパソコンへガス警報データと共にガス圧データを送信・通報する遠隔監視システムも公知である（例えば、特許文献２参照）。
【０００４】
更にまた、デジタル式自記圧力計が圧力異常等、例えば上限値オーバーを検知すると、直ちに異常発生のアラーム情報と共に最新の過去１日の圧力データの詳細を監視センターへＰＨＳ通信ユニットで通報するようにしたガス供給圧力の遠隔監視システムが公知である（例えば、特許文献３参照）。
【特許文献１】特開平１１−１０８７８８号公報
【特許文献２】特開２００１−２０２５８６号公報
【特許文献３】特開２００１−２０２５８３号公報
【発明の開示】
【発明が解決しようとする課題】
【０００５】
ところが、ガス警報ユニットが故障すると、ガバナ室でガス漏れが発生してもガス警報ユニットからのアラーム情報が発信されないため、ＰＨＳを介しての監視センターへの通報は期待できない。また、デジタル式自記圧力計が故障すると、圧力トレンドデータの欠落となる。そして、圧力異常とか圧力センサの異常（故障）などが発生しても、デジタル式自記圧力計から本来発信されるべきアラーム情報が発信されないため、ＰＨＳを介しての監視センターへの通報が期待できない。しかも、このようなトラブルが発生しても、監視センターでは故障が発生しているとは認識しないまま、対象もとらないで、何日も放置されるという第１の問題点があった。特に、ガス警報ユニットはガス漏れ等異常時しか機能が表面化しないため長時間気付かない。
【０００６】
また、監視センターで使用しているパソコンは２４時間中連続して無人運転することで、２４ｈ連続無人監視をしているが、パソコンがフリーズすると遠隔監視システムが機能を停止してしまうという第２の問題点があった。フリーズについては、監視センターとガバナ室のＰＨＳ通信ユニットとの通信のためにセンターに設置されるターミナルアダプタ（ＴＡＰ）のＣＰＵがフリーズした場合にも同様の問題が生じる。
【０００７】
また、監視センターのパソコンに、存在しない端末（ガバナ室のＰＨＳ通信ユニット）のＩＤを間違って設定してしまうこともある。すると、この存在しないＩＤでセンターポーリングすると当然通信できないが、このとき、たまたま同時にガバナ室から端末発呼が行われると、当然通信不良となり、監視センターもガバナ室の端末もリトライする。従来はリトライの間隔がセンターも端末も同じ時間間隔であったため、同期してしまい、両者がリトライを繰り返すという第３の問題点があった。
【０００８】
そこで本発明は、従来の技術における上記第１、第２、第３の各問題点を解消できるガス供給ガバナ室の遠隔監視システムを提供することをそれぞれ第１、第２、第３の目的とする。
【課題を解決するための手段】
【０００９】
本発明は、ガバナ室のデジタル式自記圧力計やガス警報ユニットを間欠的に作動させて通信ユニットに信号を送出させ、通信ユニットでは、前記信号を所定の時間に亘り受信しないときに対象となる機器、例えばデジタル式自記圧力計又はガス警報ユニットが故障であるとして、監視センターへ通報することを最も主要な特徴とする。
【００１０】
そして、上記第１の目的を達成するために、請求項１の発明は、ガバナ室に、ガス圧データを集録するデジタル式自記圧力計と、ガス漏れを検知するガス警報ユニットと、デジタル式自記圧力計からの圧力データやガス警報ユニットからのアラーム情報を監視センターに通報する通信ユニットを備え、監視センターに、前記通信ユニットからのデータや情報を受信するパソコンを備えたガス供給ガバナ室の遠隔監視システムにおいて、
デジタル式自記圧力計から間欠的に通信ユニットへデータ転送通信を行い、
通信ユニットは所定の時間に亘り、デジタル式自記圧力計からの前記データ転送通信が来ないときに、デジタル式自記圧力計に故障が発生したとして、デジタル式自記圧力計故障発呼を監視センターへ行うことを特徴とするガス供給ガバナ室の遠隔監視システムである
。
【００１１】
請求項２の発明は、ガバナ室に、ガス圧データを集録するデジタル式自記圧力計と、ガス漏れを検知するガス警報ユニットと、デジタル式自記圧力計からの圧力データやガス警報ユニットからのアラーム情報を監視センターに通報する通信ユニットを備え、監視センターに、前記通信ユニットからのデータや情報を受信するパソコンを備えたガス供給ガバナ室の遠隔監視システムにおいて、
ガス警報ユニットに内蔵しているガス漏れセンサを間欠的に作動させて、そのときのガバナ室内のガス環境情報を通信ユニットへ通報し、
通信ユニットは、所定の時間に亘り、ガス警報ユニットからの前記情報が来ないときに、ガス警報ユニットに故障が発生したとして、ガス警報器故障発呼を監視センターへ行うことを特徴とするガス供給ガバナ室の遠隔監視システムである。
【００１２】
請求項３の発明は、ガバナ室に、ガス圧データを集録するデジタル式自記圧力計と、ガス漏れを検知するガス警報ユニットと、デジタル式自記圧力計からの圧力データやガス警報ユニットからのアラーム情報を監視センターに通報する通信ユニットを備え、監視センターに、前記通信ユニットからのデータや情報を受信するパソコンを備えたガス供給ガバナ室の遠隔監視システムにおいて、
デジタル式自記圧力計から間欠的に通信ユニットへデータ転送通信を行い、
通信ユニットは所定の時間に亘り、デジタル式自記圧力計からの前記データ転送通信が来ないときに、デジタル式自記圧力計に故障が発生したとして、デジタル式自記圧力計故障発呼を監視センターへ行い、
更に、ガス警報ユニットに内蔵しているガス漏れセンサを間欠的に作動させて、そのときのガバナ室内のガス環境情報を通信ユニットへ通報し、
通信ユニットは、所定の時間に亘り、ガス警報ユニットからの前記情報が来ないときに、ガス警報ユニットに故障が発生したとして、ガス警報器故障発呼を監視センターへ行うことを特徴とするガス供給ガバナ室の遠隔監視システムである。
【００１３】
また、上記第１と第２の目的を達成するために、請求項４の発明は、請求項１、２又は３のガス供給ガバナ室の遠隔監視システムにおいて、監視センターに暴走検知装置を設け、パソコンからの正常動作信号を暴走検知装置に入力するように構成し、パソコンからの前記正常動作信号が一定時間に亘り来ない時に、暴走検知装置からパソコンへシャットダウン信号を出して電源リセットすることを特徴とするものである。
【００１４】
請求項５の発明は、請求項４のガス供給ガバナ室の遠隔監視システムにおいて、パソコンからターミナルアダプタを一定時間毎にチェックして、ターミナルアダプタが正常のときは、ターミナルアダプタ用の正常動作信号を暴走検知装置に入力するように構成し、ターミナルアダプタ用の正常動作信号が来ない時に、暴走検知装置からターミナルアダプタの電源リセットをかけるようにしたことを特徴とするものである。
【００１５】
そして、上記第１、第２及び第３の目的を達成するために、請求項６の発明は、請求項５のガス供給ガバナ室の遠隔監視システムにおいて、デジタル式自記圧力計と、通信ユニットと、センター装置の通信失敗時の各リトライ間隔をそれぞれ異なる値に定めたことを特徴とするものである。
【発明の効果】
【００１６】
請求項１の発明は、デジタル式自記圧力計の故障を短時間に検知して監視センターへ自動的に通報するため、点検、修理要員を直ちに現地に派遣して、自記圧力計の修理又は交換を行って、ガバナ室の機能を早急に回復させることができる。保安レベルが向上した。
【００１７】
請求項２の発明では、請求項１と同様に、ガス警報ユニットの故障に対応できる。
【００１８】
また、請求項３の発明では、請求項１，２と同様に、デジタル式自記圧力計とガス警報ユニットの故障に対応できる。
【００１９】
請求項４の発明では、監視センターのパソコンの暴走を短時間のうちに検知して、システムを自動的に回復させることができるので、パソコンのフリーズにより、端末からの発呼を見逃してしまう虞れがない。
【００２０】
請求項５の発明では、更にターミナルアダプタ内のＣＰＵの暴走によるトラブルを短時間のうちに検知していて、システムを自動的に回復させることができるので、ターミナルアダプタに内蔵されているＣＰＵのフリーズによって、端末からのアラーム発呼等を見逃して重大な事故につながる虞れがなくなる。
【００２１】
そして、請求項６の発明では、各機器の通信失敗時のリトライ間隔をずらすので、リトライ通信が同期しなくなり、トラヒックを分散でき通信がスムーズに行える。
【発明を実施するための最良の形態】
【００２２】
次に本発明を実施するための最良の形態を図１の実施例に基づいて説明する。
図１において、ガス供給導管に設けられたガバナ１の上流の一次側ガス圧と下流の二次側ガス圧は、それぞれ圧力センサ２と３でセンシングされて、それらのアナログ電気信号はデジタル式自記圧力計４に入力される。そして、図示されてないＡ／Ｄ変換器でデジタル信号に変換されてＩＣメモリに記憶される。センシングは０．５秒毎の間隔で行われ、ＩＣメモリに記憶された圧力データは、1２分毎にＩＣカード、例えばＰＣカード４ａに記録される。こうして、デジタル式自記圧力計４のＩＣメモリに集録された圧力データは、所定の時間、例えば1２分毎にＰＨＳ通信ユニット５に転送されて、ＰＨＳ通信ユニット内のメモリに蓄積される。蓄積された圧力データは、１週間毎にセンター側の監視センター６のパソコン７へ通報されて、管理・解析に用いられる。デジタル式自記圧力計４はＣＰＵ８を、通信ユニット５はＣＰＵ９とＰＨＳ通信モジュール１０を内蔵している。
【００２３】
デジタル式自記圧力計４は、検知したガス圧が所定の上限値をオーバーした時などの緊急時には、ＰＨＳ通信ユニット５から監視センター６へアラーム発呼を行うが、このことは周知である。
【００２４】
ガス警報ユニット１１は、ガス漏れセンサ１２とＣＰＵ１３等を内蔵していて、２分間隔で短時間ずつ作動し、ガバナ室内のガス環境をセンシングしてガス漏れ等異常時はセンターへ通報する。また４時間毎に自動的にダミー通信をして、通信ユニット５へガス警報ユニット正常動作中信号を通報する。
【００２５】
通信ユニット５は、デジタル式自記圧力計４からの１２分毎のデータ転送通信と、ガス警報ユニット１１からの４時間毎のダミー通信による正常動作中信号を常時チェックしている。そして、デジタル式自記圧力計４からのデータ転送通信が所定の時間、例えば２時間以上に亘って来ない時は、自記圧力計４の故障と判断してセンター側の監視センター６へデジタル式自記圧力計故障発呼を行う。また、ガス警報ユニット１１からのガス環境情報が所定の時間、例えば２４時間以上に亘って来ないときは、ガス警報ユニットの故障と判断して、通信ユニット５からセンター側の監視センター６へガス漏れ警報故障発呼を行う。なお、通信ユニット５は、４時間毎のガス警報ユニット１１からのダミー通信の有無をチェックし、ダミー通信が２４時間以上に亘って来ないときに、ガス警報ユニットの故障とみたして、ガス漏れ警報故障発呼を行うようにしてもよく、このような場合も、本願の請求項２乃至５の発明に含まれるものとする。
なお、ガス警報ユニット１１もＣＰＵ１３を内蔵している。
【００２６】
監視センター６のパソコン７の暴走対応は、パソコン７の外部に設けた暴走検知装置１４で行う。この暴走検知装置は、内部にパソコン７用の第１系統のウォッチドグタイマ（ＷＤＴ）と、ターミナルアダプタ１５用の第２系統のウォッチドグタイマ（ＷＤＴ）とを夫々独立して内蔵している。パソコン７は、アプリケーションソフトにより、１５０秒毎に接点ボード７ａのチャンネル１（ＣＨ１）から正常動作信号の接点出力を第１系統のＷＤＴへ出力する。また、パソコン７からターミナルアダプタ（ＴＡＰ）１５を一定時間毎にチェックして、ＴＡＰ用に正常動作信号の接点出力をチャンネル２（ＣＨ２）から第２系統のＷＤＴへ出力する。
【００２７】
第１系統のＷＤＴは、３分間ＣＨ１からの接点状態変化がない時は、パソコン７へシャットダウン信号を出して、その後１分後にパソコン７の電源リセット（再起動）を行う。第２系統のＷＤＴは、ＴＡＰ１５に内蔵されているＣＰＵの暴走検知用で、４分間ＣＨ２からの接点状態変化がない時は、ＴＡＰ１５用の電源をリセットさせる。このとき、ＴＡＰが新規再起動できるように充分な時間、例えば１分間停電させる。なお、実施例では、パソコンのＯＳは、Windows2000（登録商標）、Windows Xp（登録商標）対応である。
【００２８】
更に図１の実施例では、週１回のセンターポーリング自動データ収集を行うようにしている。この自動データ収集で、監視センター６から端末側のガバナ室の通信ユニット５を呼び出して、圧力データを収集するようにすると、正常にデータ収集ができないと通信ユニット５の故障と判断する。このようにして、監視センター６から自動で、定期的に端末側の通信ユニット５の故障の有無を監視している。１６は無停電電源装置、１７はガバナ室である。
【図面の簡単な説明】
【００２９】
【図１】本発明の実施例のブロック図。
【符号の説明】
【００３０】
１  ガバナ
２，３  圧力センサ
４  デジタル式自記圧力計
５  ＰＨＳ通信ユニット（通信ユニット）
６  監視センタ
７  パソコン
８，９，１３  ＣＰＵ
１０  ＰＨＳ通信モジュール
１１  ガス警報ユニット
１２  ガス漏れセンサ
１４  暴走検知装置
１５  ターミナルアダプタ（ＴＡＰ）
１７  ガバナ室
【図１】
2005214862.tif 000003